(57)【要約】      （修正有）【課題】ケーブル支持インサートの仮止釘の除去作業を一切不要とし、しかも、既設のインサートを利用してケーブルを増設することも可能になり、極めて安全で簡単な装着作業を実現するケーブル支持インサート用取付具及び取付け方法を提供する。【解決手段】インサート１０支持部１１の挿通孔１３に連結する連結体１を設ける。この連結体の鉛直下方に設けられ、前記インサート１０下面から突出する仮止釘２０の先端部を囲む支持体２とで構成する。これら連結体と支持体２とに仮止釘２０を挿通せしめる挿通口３を設け、支持体２に装着した結束具にケーブルＰを連結する。【選択図】図３
2005184939.tif 000002
【特許請求の範囲】
【請求項１】
スラブ下面に埋設されるケーブル支持用のインサートに装着するケーブル連結用の取付具において、該インサートは、スラブ型枠に仮止釘で仮止めされるインサートであって、自身の中央から下方に垂設した突起状の支持部に紐状の結束具を挿通する挿通孔が設けられ、一方、取付具は、インサート支持部の挿通孔に連結する連結体と、この連結体の鉛直下方に設けられケーブルを連結支持する支持体とで構成され、連結体と支持体とに仮止釘を挿通せしめる挿通口を設け、前記インサート下面から突出する仮止釘の先端部を支持体で囲むことを特徴とするケーブル支持インサート用取付具。
【請求項２】
前記支持体は、前記仮止釘の長手両脇に沿って延長される左右一対の保護杆と、該保護杆の下端部相互を連結する係止杆とからなる請求項１記載のケーブル支持インサート用取付具。
【請求項３】
前記支持体は、仮止釘の周囲を囲繞する略筒状に設けられた請求項１記載のケーブル支持インサート用取付具。
【請求項４】
前記取付具にケーブル連結用の係止体を設け、該係止体にケーブル連結用の結束具を適数本装着した請求項１乃至３いずれか記載のケーブル支持インサート用取付具。
【請求項５】
前記インサートは、仮止釘が前記支持部の長手方向に沿って貫通することでスラブ型枠に固定され、スラブ型枠除去後に仮止釘を除去せしめる除去用口が支持部に沿って形成され、支持部の上部を横方向に貫通し除去用口に交差する前記挿通孔が設けられている請求項１記載のケーブル支持インサート用取付具。
【請求項６】
スラブ型枠に仮止釘で固定されるケーブル支持用のインサートに、ケーブルを連結せしめる取付具を装着する取付具装着方法において、仮止釘を挿通する挿通口を取付具に設け、スラブ型枠除去後に仮止釘を除去せずに、取付具の挿通口に仮止釘を通して仮止釘を囲むように取付具を装着することを特長とするケーブル支持インサート用の取付具装着方法。
【発明の詳細な説明】
【技術分野】
【０００１】
本発明は、ケーブル支持インサートに仮止釘を貫通させた状態のまま使用するケーブル支持インサート用取付具及び取付具装着方法に関する。
【背景技術】
【０００２】
近年、インターネットの普及により、マンション等の施工におけるケーブル支持工事のほとんどは、低圧屋内配線のほかに、弱電流電線（ＴＶ共聴、ＬＡＮケーブル）が各室に配線される。それに伴ない、ケーブル支持具の数量も増加する傾向にある。ケーブル支持具として用いられるインサートが施工される数量は、一般的なマンションの一部屋当たりでおよそ５０〜１００個程度が設置されている。
【０００３】
このインサートの施工手順は、コンクリート型枠に予め仮止釘で固定しておき、コンクリートを打設して硬化後にコンクリート型枠を撤去し、インサートから仮止釘を除去した後に、ケーブルを連結する手順になっている。
【０００４】
一般的に使用されているインサートは、図１２に示す如く、インサート１０の中央に設けられた支持部１１の挿通孔１３に結束具３０を通し、この結束具３０でケーブルＰを固定するものが知られている。このインサート１０は、図９に示す如く、スラブＱを形成するスラブ型枠Ｒの上面に固定する際に、支持部１１に仮止釘２０を貫通させて仮止め固定する。スラブ型枠Ｒを取外した後は、図１０に示す如く、仮止釘２０を所定の位置から切断除去し、あるいは図１１に示す如く、仮止釘２０を所定の位置から抜き取り、図１２に示す如く、支持部１１の側面を貫通した挿通孔１３に結束具３０を挿通してケーブルＰを支持するように形成している。この形状のケーブル支持インサートは、現在、業者間において一般的なインサート１０として知られており、既設のインサート１０として、最も多く使用されている一つである。
【０００５】
一方、前述の如き一般的なインサートを改良したケーブル支持用のインサートが特許文献１に記載されている。このインサートは、１個のインサートに複数のケーブルを横並びに連結できるようにしたものである。すなわち、スラブ下面に埋設する母体と、この母体に下から連結するケーブル支持部とを有し、ケーブル支持部と母体との間に複数のケーブルを横並びに支持するものである。母体には、下面に左右一対の凹部を設けてあり、この凹部にケーブル支持部を嵌合させて連結する。ケーブル支持部には、複数本のケーブルを横並びに載置できるように略水平状のケーブル支持面を形成している。そして、特許文献１では、インサートを型枠に固定する際に、仮止釘を２本使用するものである。
【０００６】
一方、インサートの仮止釘を容易に分離できるようにした構造のケーブル支持用のインサートが特許文献２に記載されている。特許文献２によると、仮止釘を受ける釘受座の厚さが、仮止釘を打ち込む際の衝撃では破断せず、仮止釘を引き抜く力により変形して釘頭部の通過を許容するように薄肉状に設定し、その釘受座に、釘挿通孔に連通するスリットを形成したものである。
【特許文献１】実公平７−２７７８０号公報
【特許文献２】実開平７−３８４３５号公報
【発明の開示】
【発明が解決しようとする課題】
【０００７】
図１２に示された一般的に使用されているインサートは、図１０に示す如く、仮止釘２０を所定の位置から切断除去し、あるいは図１１に示す如く、仮止釘２０を所定の位置から抜き取る作業が必要になっている。しかしながら、マンション一部屋あたり５０〜１００個ものインサートから仮止釘を１本ずつ除去する作業は、特に脚立等の高所での作業にもなるので、極めて危険で手間の掛かる作業になっていた。しかも、除去した後の仮止釘２０を安全に処分する必要もある。
【０００８】
特許文献１に記載されているケーブル支持インサートによると、このインサートを型枠に固定する際に、２本の仮止釘が必要になっている。したがって、型枠を除去した後に、この２本の仮止釘を除去する作業になるので、極めて煩雑な作業にならざるを得ない。しかも、特許文献１では、ペンチ等の工具で仮止釘の先端部を取除く構成にしているので、除去作業がより困難な作業になっている。更に、特許文献１では、この仮止釘の先端が作業の妨げにならない場合、仮止釘をそのまま放置することも予定しているが、突出した釘の危険性は解消されるものではなく、僅かに突出した釘の先端が思わぬ事故を引起こす可能性がある。また、引用文献１では、ケーブルを保持する構造のケーブル支持部を採用したことで、このケーブル支持部で保持可能なケーブルの数は２〜３本に制限され、ケーブル数の増減に対応し難い構造になっている。
【０００９】
一方、特許文献２に記載されたインサートでは、仮止釘を引き抜き易くした釘受座を設けることで、仮止釘の除去作業を容易にしている。ところが、高所での除去作業となることに従来と変わりはなく、１個ずつ手作業で除去する作業に危険が伴なうものであった。
【００１０】
しかも、これら特許文献１及び特許文献２では、新規の工事に使用可能でも、構造上、既設のケーブル支持用のインサートを利用することは不可能である。しかしながら、従来のインサートを施工した後においても、弱電流電線の増設が必要になる場合がある。この場合、既設のインサートの設置方向に沿って、後施工に弱電流電線を増設するには、スラブ下面に接着式のケーブル支持具を貼り付けて配線する手段に限られていた。
【００１１】
このように、インサートを利用した従来のケーブル支持具にあっては、仮止釘の除去作業が危険で手間の掛かる作業になっていた。また、インサートを利用してケーブルを支持する従来のケーブル支持具は、既に設置されているインサートを利用してケーブルを増設することもできない。
【００１２】
そこで本発明は上述の課題を解消すべく創出されたもので、ケーブル支持用インサートの仮止釘の除去作業を一切不要とし、しかも、既設のインサートを利用してケーブルを増設することも可能になり、極めて安全で簡単な装着作業を実現するケーブル支持インサート用取付具及び取付具装着方法の提供にある。
【課題を解決するための手段】
【００１３】
本発明の第１の手段は、スラブ下面に埋設されるケーブル支持用のインサート１０に装着するケーブル連結用の取付具において、該インサート１０は、スラブ型枠に仮止釘２０で仮止めされるインサート１０であって、自身の中央から下方に垂設した突起状の支持部１１に紐状の結束具３０を挿通する挿通孔１３が設けられ、一方、取付具は、インサート１０支持部１１の挿通孔１３に連結する連結体１と、この連結体１の鉛直下方に設けられケーブルＰを連結支持する支持体２とで構成され、連結体１と支持体２とに仮止釘２０を挿通せしめる挿通口３を設け、前記インサート１０下面から突出する仮止釘２０の先端部を支持体２で囲むことにある。
【００１４】
第２の手段において、前記支持体２は、前記仮止釘２０の長手両脇に沿って延長される左右一対の保護杆２Ａと、該保護杆２Ａの下端部相互を連結する係止杆２Ｂとからなるものである。
【００１５】
第３の手段において、前記支持体２は、仮止釘２０の周囲を囲繞する略筒状に設けられている。
【００１６】
第４の手段は、前記取付具にケーブルＰ連結用の係止体４を設け、該係止体４にケーブル連結用の結束具３０を適数本装着する。
【００１７】
第５の手段における前記インサート１０は、仮止釘２０が前記支持部１１の長手方向に沿って貫通することでスラブ型枠Ｒに固定され、スラブ型枠Ｒ除去後に仮止釘２０を除去せしめる除去用口１２が支持部１１に沿って形成され、支持部１１の上部を横方向に貫通し除去用口１２に交差する前記挿通孔１３が設けられている。
【００１８】
第６の手段は、スラブ型枠Ｒに仮止釘２０で固定されるケーブル支持用のインサート１０に、ケーブルＰを連結せしめる取付具を装着する取付具装着方法において、仮止釘２０を挿通する挿通口３を取付具に設け、スラブ型枠Ｒ除去後に仮止釘２０を除去せずに、取付具の挿通口３に仮止釘２０を通して仮止釘２０を囲むように取付具を装着することを課題解消のための手段とする。
【発明の効果】
【００１９】
本発明の取付具及び装着方法によると、インサート１０下面から突出する仮止釘２０の先端部を囲む支持体２と、連結体１とに仮止釘２０を挿通せしめる挿通口３を設けたことで、インサート１０から仮止釘２０を除去せずに装着することができる。したがって、これまで要していた高所での仮止釘２０除去作業が一切必要なくなり、本発明取付具を極めて安全、且つ簡単に装着することが可能になった。
【００２０】
更に、支持体２は、保護杆２Ａと係止杆２Ｂとからなる支持体２、あるいは、略筒状に設けられた支持体２のいずれにおいても、保護杆２Ａの内側に仮止釘２０を包むように保持するので、作業員が仮止釘２０の先端に触れることなく安全に作業することができる。
【００２１】
また、取付具にケーブルＰ連結用の係止体４を設け、該係止体４に適数本の結束具３０を装着することによって、ケーブルＰの増設に対応できるものになっている。
【００２２】
一方、前記インサート１０は、仮止釘２０が前記支持部１１の長手方向に沿って貫通することでスラブ型枠Ｒに固定され、スラブ型枠Ｒ除去後に仮止釘２０を除去せしめる除去用口１２が支持部１１に沿って形成され、支持部１１の上部を横方向に貫通し除去用口１２に交差する前記挿通孔１３が設けられているインサート１０を使用するので、これまで最も多く使用されているインサート１０の一つを利用することが可能になる。この結果、極めて合理的な使用ができ、また、既存のインサート１０を利用することも可能になる。
【発明を実施するための最良の形態】
【００２３】
本発明によると、インサート１０支持部１１の挿通孔１３に連結する連結体１と、この連結体１の鉛直下方に設けられ、前記インサート１０下面から突出する仮止釘２０の先端部を囲む支持体２とで構成する。これら連結体１と支持体２とに仮止釘２０を挿通せしめる挿通口３を設け、支持体２に装着した結束具３０にケーブルＰを連結する。取付具にケーブルＰ連結用の係止体４を設け、該係止体４に適数本の結束具３０を装着する。この結果、極めて安全で簡単な装着作業の実現に成功した。
【実施例】
【００２４】
本発明取付具は、スラブＱ下面に埋設されるインサート１０の支持部１１に連結する取付具であり、該支持部１１に連結する連結体１と、連結体１の下端に設けられた支持体２とからなる（図１参照）。
【００２５】
すなわち、本発明の連結体１は、インサート１０の支持部１１に設けられた挿通孔１３に連結する構造を成す。図示の連結体１は、送入杆１Ａと係止爪１Ｂとで構成されている（図２参照）。送入杆１Ａは、仮止釘２０を残したままの除去用口１２の下方から除去用口１２の内部に挿入できるようにするため、仮止釘２０を通す挿通口３を設け、この送入杆１Ａの下端部に支持体２を固定している。一方、係止爪１Ｂは、送入杆１Ａの上端部に設けられ、除去用口１２の内部から支持部１１の挿通孔１３に係止する部分である（図３参照）。
【００２６】
図示の送入杆１Ａは、除去用口１２の内部で送入杆１Ａの幅が可変するように調整スリット１Ｃを設けている（図１参照）。そして、送入杆１Ａの上端部夫々に係止爪１Ｂが張り出すように設け、この係止爪１Ｂを除去用口１２に挿入した際に、除去用口１２内の送入杆１Ａが調整スリット１Ｃの作用で撓むように設けている（図示せず）。更に、除去用口１２内の係止爪１Ｂが挿通孔１３に到達すると、送入杆１Ａ自身の弾性によって送入杆１Ａが基の幅に戻り、これに伴なって係止爪１Ｂが挿通孔１３に係止する（図３参照）。また、連結体１は、図８に示す如く、係止爪１Ｂが対峙するように設けることも可能である（同図（イ）参照）。この連結体１によると、支持部１１の外側から挿通孔１３に係止するものである（同図（ロ）参照）。
【００２７】
支持体２は、ケーブルＰを支持する部材である。この支持体２は、連結体１の鉛直下方に設けられており、前記連結体１から続く挿通口３が連設されている。そして、インサート１０下面から突出する仮止釘２０の先端部を囲むように構成する（図３参照）。
【００２８】
図３、図６に示す支持体２は、仮止釘２０の長手両脇に沿って延長される左右一対の保護杆２Ａと、該保護杆２Ａの下端部相互を連結する係止杆２Ｂとからなる。このような支持体２によると、仮止釘２０は、保護杆２Ａの内側に保持されるものになる。この支持体２に、予め結束具３０を装着しておき、この結束具３０にケーブルＰを固定することができる（図４、図５参照）。
【００２９】
図７に示す支持体２は、仮止釘２０の周囲を囲繞する略筒状に設けられている。この筒状の内側は、連結体１に設けた挿通口３から連続する（同図（イ）参照）。この支持体２によると、仮止釘２０の先端周囲が完全に包まれる状態になる（同図（ロ）参照）。
【００３０】
係止体４は、ケーブルＰを連結する部材で、該係止体４に適数本の結束具３０を装着する。図示の係止体４は、前記連結体１と前記支持体２との間に略水平に設けられ、結束具３０を固定する切欠溝４Ａを設けている（図１参照）。また、結束具３０は、係止体４の両側に均等に配置することで、ケーブルＰをバランス良く支持することができる。このとき、係止体４は、インサート１０下面に近接する位置に設置している（図３参照）。これは、係止体４が傾いた場合に、係止体４の長手両端部がインサート１０下面やスラブＱ下面に接触することで、係止体４の傾きが拡大しないようにするためである。図示の係止体４は矩形の板体状を成しているが、円形状や多角形状、あるいは棒状など他の形状に変更することは自由である。
【００３１】
連結体１が連結するインサート１０は、図９乃至図１２に示す従来使用されているインサート１０を利用するもので、特に次の構造を有するものである。例えば、インサート１０の中央から下方に突起状の支持部１１を垂設し、この支持部１１の長手方向に沿って仮止釘２０を貫通させることでスラブ型枠Ｒに固定する（図１２参照）。仮止釘２０には、釘の上部側面に自身を切り離す切欠部２１が設けられており、スラブ型枠Ｒ除去後に、この切欠部２１で切断できるようにしている（図９、図１０参照）。インサート１０の支持部１１の下部には、仮止釘２０を切断するための除去用口１２を設けている（図１０参照）。この除去用口１２は、仮止釘２０の切欠部２１から下の部分を揺動させるスペースで、仮止釘２０の下端部をペンチなどの工具（図示せず）で把持し、これを揺り動かすことで、仮止釘２０を切欠部２１から切断するものである。さらに支持部１１の上部に、紐状の結束具３０を挿通する挿通孔１３を設けている。この挿通孔１３は、支持部１１の上部を横方向に貫通し、前記除去用口１２と交差している。既設のインサート１０は、この挿通孔１３に結束具３０を挿通してケーブルＰを固定している（図１２参照）。
【００３２】
また、切欠部２１を設けない仮止釘２０を使用し、該仮止釘２０をインサート１０の除去用口１２から強制的に引き抜くインサート１０もある（図１１参照）。このインサート１０は、予め仮止釘２０の係止部位を薄肉状に形成することで、インサート１０から仮止釘２０を容易に引き抜けるようにしている（図示せず）。本発明取付具を装着する場合は、これらのインサート１０に装着する結束具３０に替えて、連結体１を挿通孔１３に連結するものである（図２参照）。したがって、本発明取付具は、新規工事で装着されるインサート１０は勿論のこと、既設のインサート１０に装着することができるものである。
【００３３】
本発明取付具の装着方法は次のとおりである。すなわち、スラブ型枠Ｒ除去後に仮止釘２０を除去せずに、取付具の挿通口３に仮止釘２０を通しながら仮止釘２０の外側に取付具を装着するものである。ケーブルＰは、本発明取付具の支持体２や係止体４に予め取付けておいた結束具３０に連結する。また、既存のインサート１０を利用する場合、仮止釘２０は除去されているが、この仮止釘２０がなくても全く同様に本発明取付具を装着できることは言うまでもない。
【図面の簡単な説明】
【００３４】
【図１】本発明取付具の一実施例を示す斜視図である。
【図２】本発明取付具を装着する状態を示す側面図である。
【図３】本発明取付具の装着状態を示す側面図である。
【図４】本発明取付具の他の実施例を示す側面図である。
【図５】本発明取付具の他の実施例を示す側面図である。
【図６】本発明取付具の他の実施例を示し（イ）は側面図、（ロ）は装着状態を示す側面図である。
【図７】本発明取付具の他の実施例を示し（イ）は側面図、（ロ）は装着状態を示す側面図である。
【図８】本発明取付具の他の実施例を示し（イ）は側面図、（ロ）は装着状態を示す側面図である。
【図９】従来のケーブル支持用インサートをスラブ型枠に固定した状態を示す側断面図である。
【図１０】従来のケーブル支持用インサートから仮止釘を切断した状態を示す側断面図である。
【図１１】従来の他のケーブル支持用インサートから仮止釘を除去した状態を示す側断面図である。
【図１２】従来のケーブル支持用インサートにケーブルを支持した状態を示す斜視図である。
【符号の説明】
【００３５】
Ｐ  ケーブル
Ｑ  スラブ
Ｒ  スラブ型枠
１  連結体        １Ａ  送入杆
１Ｂ  係止爪
１Ｃ  調整スリット
２  支持体        ２Ａ  保護杆
２Ｂ  係止杆
３  挿通口
４  係止体        ４Ａ  切欠溝
１０  インサート
１１  支持部
１２  除去用口
１３  挿通孔
２０  仮止釘
２１  切欠部
３０  結束具
【図１】
2005184939.tif 000003
【図２】
2005184939.tif 000004
【図３】
2005184939.tif 000005
【図４】
2005184939.tif 000006
【図５】
2005184939.tif 000007
【図６】
2005184939.tif 000008
【図７】
2005184939.tif 000009
【図８】
2005184939.tif 000010
【図９】
2005184939.tif 000011
【図１０】
2005184939.tif 000012
【図１１】
2005184939.tif 000013
【図１２】
2005184939.tif 000014